(57)【特許請求の範囲】
【請求項１】
縦長の前板と、この前板の両側端から後方へ折れ曲がる左右の側板と、これらの側板の後端から内側へ折れ曲がるフランジ部とが一体に形成されてなる合成樹脂製の壁材を複数枚並べ、下方に設けられた断面が凹形のレール材と、上方に設けられた断面が逆凹形のレール材とに、各壁材の下端部と上端部をそれぞれ嵌め込んで立設し、各壁材の前板下端部と下方のレール材の前側板部との間にバックアップ材を押し込み、このバックアップ材の上方に生じた隙間にシーリング材を充填すると共に、各壁材の前板上端部と上方のレール材の前側板部との間にバックアップ材を押し込み、このバックアップ材の下方に生じた隙間にシーリング材を充填したことを特徴とする壁体。
【請求項２】
各壁材の前板下端部と下方のレール材の後側板部との間に、壁材下端部固定用の固定部材を圧入して介装すると共に、各壁材の前板上端部と上方のレール材の後側板部との間に、壁材上端部固定用の固定部材を圧入して介装したことを特徴とする請求項１に記載の壁体。
【請求項３】
各壁材の隣り合う側板と側板との隙間にバックアップ材を挟着し、その前面側の各壁材の側板間にシーリング材を充填したことを特徴とする請求項１又は請求項２に記載の壁体。
【発明の詳細な説明】
【０００１】
【発明の属する技術分野】
本発明は、合成樹脂製の半透明の壁材を並べて立設した壁体に関する。
【０００２】
【従来の技術】
近年、コ字形の断面を有するガラス製の半透明の壁材が開発された。この壁材は、採光を必要とする外壁や屋内での仕切り壁などを施工する場合に好適に使用される。
【０００３】
【発明が解決しようとする課題】
しかしながら、上記のガラス製の壁材は高価である上に、重量が大きく、取扱いが容易でないため、該壁材を並べて外壁等を施工する際の施工性があまり良くなく、施工費用も高くつくという問題があった。
【０００４】
本発明は、これらの問題を解決し得る壁材を用いて施工される壁体を提供することを目的としている。
【０００５】
【課題を解決するための手段】
本発明の請求項１に係る壁材は、縦長の前板と、この前板の両側端から後方へ折れ曲がる左右の側板と、これらの側板の後端から内側へ折れ曲がるフランジ部とが一体に形成されてなる合成樹脂製の壁材を複数枚並べ、下方に設けられた断面が凹形のレール材と、上方に設けられた断面が逆凹形のレール材とに、各壁材の下端部と上端部をそれぞれ嵌め込んで立設し、各壁材の前板下端部と下方のレール材の前側板部との間にバックアップ材を押し込み、このバックアップ材の上方に生じた隙間にシーリング材を充填すると共に、各壁材の前板上端部と上方のレール材の前側板部との間にバックアップ材を押し込み、このバックアップ材の下方に生じた隙間にシーリング材を充填したことを特徴とするものである。
【０００６】
このような壁体は、合成樹脂製の壁材がガラス製の壁材よりも軽量で取扱い易く且つ安価であり、各壁材の上下の端部を上下のレール材に嵌め込んで立設するため、施工性が向上し、施工費用の低減も可能となる。また、この壁体は、壁材がフランジ部によって曲げ強度や捻じれ強度が高められ、十分な実用強度を有するため、風圧等に対する強度が大きい。しかも、この壁体は、バックアップ材とシーリング材によって壁材の上下両端部の水密性を確保することができる。
【０００７】
次に、本発明の請求項２に係る壁体は、上記請求項１の壁体において、各壁材の前板下端部と下方のレール材の後側板部との間に、壁材下端部固定用の固定部材を圧入して介装すると共に、各壁材の前板上端部と上方のレール材の後側板部との間に、壁材上端部固定用の固定部材を圧入して介装したことを特徴とするものである。
【０００８】
このような壁体は、下方のレール材の前側板部と壁材下端部固定用の各固定部材の前端部とで前後から各壁材の前板下端部を挟持固定できると共に、上方のレール材の前側板部と壁材上端部固定用の各固定部材の前端部とで前後から各壁材の前板上端部を挟持固定できる。
【０００９】
次に、本発明の請求項３に係る壁体は、上記請求項１又は請求項２の壁体において、各壁材の隣り合う側板と側板との隙間にバックアップ材を挟着し、その前面側の各壁材の側板間にシーリング材を充填したことを特徴とするものである。
【００１０】
このような壁体は、バックアップ材とシーリング材によって壁材相互間の気密性を確保すると共に、壁材相互間の隙間からの透視を防止することができる。
【００１１】
削除
【００１２】
削除
【００１３】
【発明の実施の形態】
以下、図面を参照して本発明の具体的な実施形態を詳述する。
【００１４】
図１は本発明の一実施形態に係る壁体に使用される壁材の部分斜視図である。
【００１５】
この壁材Ｐ１は、合成樹脂製の半透明な壁材であって、縦長の前板１ａと、この前板１ａの両側端から後方へ折れ曲がる左右の側板１ｂ，１ｂと、これらの側板の後端からそれぞれ内側へ折れ曲がるフランジ部１ｃ，１ｃとが一体に形成されたものである。このようにフランジ部１ｃ，１ｃが形成されていると、壁材Ｐ１の曲げ強度や捻じり強度が向上することになる。
【００１６】
壁材Ｐ１の合成樹脂としては、ポリ塩化ビニル、ポリアクリル、ポリオレフィン、ポリエステルなどの熱可塑性の各種の樹脂を使用できるが、その中でも、ポリエステルの一種であるポリカーボネートが好適に使用される。ポリカーボネートは、強度、成形性、価格などのバランスがよく、高品質の壁材を比較的安価に製造することができるからである。この合成樹脂製の壁材Ｐ１には紫外線吸収剤や光安定剤を含有させ、耐候性を高めることが望ましい。
【００１７】
ここで、「半透明の壁材」とは、実質的に透視が困難な透光性の壁材を意味し、片面もしくは両面に梨地を付した無色或は有色のマット板で製された壁材であって３ｍｍ厚のポリカーボネートマットよりなるものにあっては、全光線透過率が７５〜９０％、ヘイズ値が６０〜４０％である壁材が好ましい。全光線透過率が７５％より低い壁材は採光性に劣り、ヘイズ値が４０％より低い壁材は遮蔽性に劣るため、いずれも好ましくない。また、壁材としては半透明のみならず乳半色をしたものも好ましく用いられる。この乳半色の壁材は、全光線透過率が２５〜４０％で、ヘイズ値が９０〜８０％のものが好ましく用いられる。
【００１８】
この壁材Ｐ１の各部の寸法は、施工する外壁等の壁体の規模に応じて適宜設定すればよいが、標準的な寸法の一例を示すと、前板１ａの横幅が２６０ｍｍ、側板１ｂの高さ（前後幅）が６０ｍｍ、フランジ部１ｃの横幅が３０ｍｍ、厚みが５ｍｍである。
【００１９】
上記壁材Ｐ１を用いて施工される本発明の壁体を、図２、図３に基づいて説明する。
【００２０】
図２は上記壁材Ｐ１を用いて施工される本発明の一実施形態に係る壁体を示す縦断面図、図３は図２のＡ−Ａ線横断面図であって、図３に示すように、この壁体は、上記壁材Ｐ１を複数枚並べ、図２に示すように、下方に設けられた断面が凹形の金属製のレール材２と、上方に設けられた断面が逆凹形の金属製のレール材３とに、各壁材Ｐ１の下端部と上端部をそれぞれ嵌め込んで立設したものである。
【００２１】
そして、各壁材Ｐ１の前板１ａ下端部と下方のレール材２の前側板部２ａとの間に、発泡ポリエチレン等の紐材等からなるバックアップ材４を押し込み、このバックアップ材４の上方に生じた隙間にシーリング材５を充填する一方、各壁材Ｐ１の前板１ａ下端部とレール材２の後側板部２ｂとの間に、逆凹形の断面を有する壁材下端部固定用の金属製の固定部材６を圧入して介装することにより、バックアップ材４を介してレール材２の前側板部２ａと固定部材６の前端部６ａとで前後から間接的に壁材Ｐ１の前板１ａ下端部を挟持固定し、シーリング材５で水密性を確保している。
【００２２】
同様に、各壁材Ｐ１の前板１ａ上端部と上方のレール材３の前側板部３ａとの間にも、発泡ポリエチレン等の紐材等からなるバックアップ材４を押し込み、このバックアップ材４の下方に生じた隙間にシーリング材５を充填する一方、各壁材Ｐ１の前板１ａ上端部とレール材３の後側板部３ｂとの間に、前後で高さの異なる凹形の断面を備えた壁材上端部固定用の金属製の固定部材７を下方から圧入して介装することにより、バックアップ材４を介してレール材３の前側板部３ａと固定部材７の前端部７ａとで前後から間接的に壁材Ｐ１の前板１ａ上端部を挟持固定し、シーリング材５で水密性を確保している。
【００２３】
そして、各壁材Ｐ１の隣り合う側板１ｂと側板１ｂとの隙間には、図３に示すようにチューブ状バックアップ材８を２本ずつ挟着すると共に、その前面側の各壁材Ｐ１の側板１ｂ間にシーリング材５を充填し、これによって壁材相互間の気密性を確保すると共に、壁材相互間の隙間からの透視を防止している。
【００２４】
【発明の効果】
以上の説明から明らかなように、壁材Ｐ１を用いて施工した本発明の壁体は、合成樹脂製の壁材Ｐ１がガラス製の壁材より軽量で取扱いが容易であり、しかも、壁材Ｐ１の上下両端部を上下のレール材に嵌め込み、固定部材６，７の圧入、介装によって壁材Ｐ１の上下両端部を簡単に固定できるため、施工性が大幅に向上する。そして、合成樹脂製の壁材Ｐ１がガラス製の壁材よりも安価であるため、施工費用を低減することも可能となる。その上、上記の壁材Ｐ１は、フランジ部１ｃ，１ｃの形成によって曲げ強度や捻じり強度が高められているため、本発明の壁体は風圧等に対する耐圧強度が大きいものとなる。
【図面の簡単な説明】
【図１】  本発明の一実施形態に係る壁体に使用される壁材の部分斜視図である。
【図２】  本発明の一実施形態に係る壁体を示す縦断面図である。
【図３】  図２のＡ−Ａ線横断面図である。
【符号の説明】
Ｐ１  壁材
１ａ  壁材の前板
１ｂ  壁材の左右の側板
１ｃ  壁材の内側へ折れ曲がるフランジ部
２，３  レール材
４  バックアップ材
５  シーリング材
６  壁材下端部固定用の固定部材
７  壁材上端部固定用の固定部材
【図１】
0003997275.tif 000002
【図２】
0003997275.tif 000003
【図３】
0003997275.tif 000004